(57)【要約】      （修正有）【課題】傘の組立て／分解は簡単で、可動台及び複数の下骨が破損した時には、取外し交換できる傘の構造を提供する。【解決手段】傘の構造は中棒１、ハンドル、下骨連接機構３、上骨連接機構、複数の下骨５、複数の上骨を備える。下骨連接機構３は可動台３１、下骨嵌合リング３２を備え、可動台３１は２個の穿孔３１２を備え、複数の下骨嵌合リング３２には２個の係合棒３２２、複数の底部凹槽３２４を設置し、複数の下骨５は複数の底部凹槽３２４内に挿入し、可動台３１の２個の穿孔３１２は上方へと下骨嵌合リング３２の２個の係合棒３２２を嵌合する。これにより２個の係合棒３２２は収縮し、さらに復位して可動台３１に係合し、同時に複数の底部凹槽３２４下端開口を封鎖し、下骨嵌合リング３２は２個の係合棒３２２と可動台３１により可動状組合せを形成する。【選択図】図５
0003181443.tif 000002
【実用新案登録請求の範囲】
【請求項１】
傘の構造は中棒、ハンドル、下骨連接機構、上骨連接機構、複数の下骨、複数の上骨を備え、前記中棒底端には前記ハンドルを結合し、前記中棒頂点端には前記上骨連接機構を接合し、前記複数の下骨内側端及び前記複数の上骨内側端は、前記上骨連接機構及び前記下骨連接機構にそれぞれ連接し、前記下骨連接機構は前記中棒に嵌めて接続し、前記複数の下骨外側端と前記複数の上骨外側端は相互に可動状に接続し、前記下骨連接機構は可動台、下骨嵌合リングを備え、前記可動台には制御台、前記制御台を貫通する２個の穿孔を設置し、前記複数の下骨には複数の凸ブロック、相互に対応する前記２個の凸ブロックから下方へとそれぞれ延伸する２個の係合棒、前記２個の係合棒底端にそれぞれ設置する２個の係合フック複数の底部凹槽を設置し、前記複数の下骨内側端は前記複数の底部凹槽内にそれぞれ挿入し、前記可動台の２個の穿孔は上方へと前記下骨嵌合リングの２個の係合棒を嵌合し、これにより前記２個の係合棒の２個の係合フックは前記制御台底面に係合し、同時に前記複数の底部凹槽下端開口を封鎖することを特徴とする傘の構造。
【請求項２】
前記中棒と前記ハンドルとは連接部品により連接し、前記連接部品は頭部、筒部を備え、前記筒部には弾性を備える少なくとも１個の係合固定片を備え、前記ハンドルは前記ハンドルの中心孔と相互に貫通する少なくとも1個の係合固定孔を備え、前記中棒を前記連接部品の頭部に挿入して設置し、前記連接部品の筒部を前記ハンドルの中心孔に挿入し、前記係合固定片を押して収縮させ、これにより前記係合固定片は回復の弾力を蓄え、前記係合固定片が前記係合固定孔に対応する時、前記係合固定片は弾力により復位し、前記係合固定孔内に随時係合されることを特徴とする請求項１に記載の傘の構造。
【請求項３】
前記筒部と前記中心孔はそれぞれ少なくとも１個のガイド線と少なくとも１個のレールを備え、前記ガイド線を前記レールに対応させて挿入し、こうして前記筒部が正しい方向で前記中心孔内に挿入されるようガイドすることを特徴とする請求項２に記載の傘の構造。
【考案の詳細な説明】
【技術分野】
【０００１】
本考案は傘の構造に関し傘の組立て/分解が簡単で時間と労力を節減でき生産コストを低下させられ、しかもその構成部材は回収して再利用可能であるため、環境保護の要求を満たすことができ非常に経済的な傘の構造に係わる。
【背景技術】
【０００２】
人々の環境保護意識の高まりに連れて、消耗品に対するリサイクルニーズも高まっている。傘もその内の一つであるが現在市場で見られる傘の構造は、組立て/分解が極めて困難であるため廃棄後の傘の構成部材のリサイクルは容易ではない。
【０００３】
従来の傘の組合せは平面模式図、部分立体分解図である図１、２に示すように中棒１０の底端にハンドル２０を結合する。中棒１０本体には下骨連接機構３０を可動状に嵌める。中棒１０頂点端には上骨連接機構４０を設置する。下骨連接機構３０は複数の下骨５０内側端に連接し、上骨連接機構４０は複数の上骨６０内側端に連接する。複数の下骨５０外側端は複数の上骨６０外側端に可動状に接続し、しかも上骨連接機構４０は上方へと石突７０を嵌めて固定する。複数の上骨６０頂点面は、傘面(図示なし)を共同で連接しこれにより太陽光や雨を遮る。下骨連接機構３０は可動台３０１、金属線３０２を備える。複数の下骨５０内側端は、可動台３０１の複数の直行凹槽３０３内に挿入する。中棒１０には可動台３０１を可動状に嵌める。金属線３０２は複数の下骨５０内側端に通して接続する。金属線３０２は同時に可動台３０１の環状凹槽３０４内に挿入され緊密に固定する。これにより複数の下骨５０と可動台３０１は可動接続状態を呈する。しかも複数の下骨５０は可動台３０１と分離することはない。中棒１０とハンドル２０の両者の接合位置は、接着剤を用いて固定し分解不可能とする。よって複数の下骨５０、可動台３０１、ハンドル２０の内のどれか一つだけでも破損すれば、単独で交換することができないため、新しい傘を買わなければならないため金銭的な浪費となる。また傘の廃棄後も分解し複数の下骨５０、可動台３０１、ハンドル２０を取り出して再利用することもできない。よって低コストと環境保護の要求に合致していない。その上複数の下骨５０は金属線３０２を通して接続し、可動台３０１に可動状に接続するため、この作業には非常に時間と労力が掛かり生産コストを押し上げる要因となっている。
本考案は、従来の傘の構造の上記した欠点に鑑みてなされたものである。
【考案の概要】
【考案が解決しようとする課題】
【０００４】
本考案が解決しようとする課題は傘の組立て/分解が簡単で、時間と労力を節減でき生産コストを低下させられ、その構成部材は回収して再利用可能であるため、環境保護の要求を満たすことができ、非常に経済的である傘の構造を提供することである。
【課題を解決するための手段】
【０００５】
上記課題を解決するため本考案は下記の傘の構造を提供する。
傘の構造は中棒、ハンドル、下骨連接機構、上骨連接機構、複数の下骨、複数の上骨を備え、該中棒底端には該ハンドルを結合し、該中棒頂点端には該上骨連接機構を接合し、該複数の下骨内側端及び該複数の上骨内側端は、該上骨連接機構及び該下骨連接機構にそれぞれ連接し、該複数の下骨外側端と該複数の上骨外側端は相互に可動状に接続し、該複数の上骨頂点面は傘面に共同で連接し、これにより太陽光や雨を遮し、該下骨連接機構は可動台、下骨嵌合リングを備え、該可動台は制御台、該制御台を貫通する２個の穿孔を備え、該下骨嵌合リングには複数の凸ブロック、相互に対応する該２個の凸ブロックから下方へとそれぞれ延伸する２個の係合棒、該２個の係合棒底端にそれぞれ設置する２個の係合フック、複数の底部凹槽を設置し、該複数の下骨は該複数の底部凹槽内に挿入し、該可動台の２個の穿孔は上方へと該下骨嵌合リングの２個の係合棒を嵌合し、これにより該２個の係合棒の２個の係合フックは該制御台底面に係合し、同時に該複数の底部凹槽下端開口を封鎖し該２個の係合フックを押すことで、該２個の係合棒を収縮させ、該下骨嵌合リングと該可動台を分離できるため、該可動台、該下骨嵌合リング、該複数の下骨は破損時に取外して交換でき、該中棒と該ハンドルとは連接部品により連接し、該連接部品は頭部、筒部を備え、該筒部には弾性を備える少なくとも１個の係合固定片を備え、該ハンドルは該ハンドルの中心孔と相互に貫通する少なくとも1個の係合固定孔を備え、該中棒を該連接部品の頭部に挿入して設置し、該連接部品の筒部を該ハンドルの中心孔に挿入し、該係合固定片を押して収縮させ、これにより該係合固定片は回復の弾力を蓄え、該係合固定片が該係合固定孔に対応する時、該係合固定片は弾力により復位し、該係合固定孔内に随時係合され、該筒部と該中心孔はそれぞれ少なくとも１個のガイド線と少なくとも１個のレールを備え、該ガイド線を該レールに対応させて挿入し、こうして該筒部が正しい方向で該中心孔内に挿入されるようガイドする。
【考案の効果】
【０００６】
本考案の傘の構造は傘の組立て/分解が簡単で、時間と労力を節減でき生産コストを低下させられ、しかもその構成部材は回収して再利用可能であるため、環境保護の要求を満たすことができ非常に経済的である。
【図面の簡単な説明】
【０００７】
【図１】従来の傘の組合せ平面模式図である。
【図２】従来の傘の部分立体分解図である。
【図３】本考案手動傘の組合せ平面模式図である。
【図４】本考案自動傘の組合せ平面模式図である。
【図５】本考案傘の部分立体分解図である。
【図６】図５の組合せ断面図である。
【図７】本考案中棒とハンドルの立体分解図である。
【図８】図７の組合せ断面動作図である。
【考案を実施するための形態】
【０００８】
以下に図面を参照しながら本考案を実施するための最良の形態について詳細に説明する。
【実施例】
【０００９】
手動傘の組合せ平面模式図、自動傘の組合せ平面模式図である図３、４に示すように、本考案傘は中棒１、ハンドル２、下骨連接機構３、上骨連接機構４、複数の下骨５、複数の上骨６を備える。
【００１０】
中棒１底端には下骨連接機構３を嵌めて接続する。中棒１頂点端には上骨連接機構４を接合する。複数の下骨５内側端は下骨連接機構３に連接する。複数の上骨６内側端は上骨連接機構４に連接する。複数の下骨５外側端はさらに複数の上骨６外側端に可動状に接続する。複数の上骨６頂点面は傘面(図示なし)に共同で連接し、これにより太陽光や雨を遮る。上骨連接機構４はさらに上方に石突７を接合する。
【００１１】
本考案は部分立体分解図、部分組合せ断面図である図５、６に示すように、下骨連接機構３は可動台３１、下骨嵌合リング３２を備える。可動台３１には制御台３１１、制御台３１１を貫通する２個の穿孔３１２を設置する。下骨嵌合リング３２には複数の凸ブロック３２１、相互に対応する２個の凸ブロック３２１から下方へとそれぞれ延伸する２個の係合棒、２個の係合棒３２２底端にそれぞれ設置する２個の係合フック３２３、複数の底部凹槽３２４を設置する。複数の下骨５内側端は、複数の底部凹槽３２４内にそれぞれ挿入する。可動台３１は、上方へと、下骨嵌合リング３２を嵌合する。これにより、２個の係合棒３２２は弾性で収縮し、２個の穿孔３１２を通過後、弾性により復位し２個の係合フック３２３により制御台３１１底面に係合する。同時に複数の底部凹槽３２４下端開口を封鎖し、複数の下骨５の離脱を防止する。可動台３１と下骨嵌合リング３２を取外し可能方式で連結する。中棒１はさらに上方へと可動台３１を通過し、２個の係合棒３２２を押して収縮させることで２個の係合フック３２３は制御台３１１の底面を離脱する。同時に下方へと可動台３１を取り出し、下骨嵌合リング３２を複数の下骨５と共に可動台３１１から離脱させる。可動台３１、下骨嵌合リング３２、複数の下骨５は破損時には取外して交換できるため、組立て/分解を簡単かつ迅速に行うことができる。
【００１２】
本考案は中棒１とハンドル２の立体分解図、及び中棒１とハンドル２の組合せ断面動作図である図７、８に示すように、中棒１とハンドル２との間は連接部品８により連接する。ハンドル２は少なくとも1個の係合固定孔２２を備える。係合固定孔２２はハンドル２の中心孔２１と相互に貫通する。中心孔２１内壁面には少なくとも１個のレール２１１を備える。連接部品８は頭部８１、筒部８２を備える。筒部８２外縁面には弾性を備える少なくとも１個の係合固定片８３、少なくとも１個のガイド線８４を設置する。中棒１を連接部品８の頭部８１に挿入し、固定部品９を通して固定する。続いて連接部品８の筒部８２を、ハンドル２の中心孔２１に挿入し係合固定片８３の収縮状態を維持する。これにより係合固定片８３は回復の弾力を蓄え、同時にガイド線８４をレール２１１に対応させて挿入する。こうして筒部８２が正しい方向で中心孔２１内に挿入されるようガイドする。係合固定片８３が係合固定孔２２に対応する時、係合固定片８３は弾力により復位し、係合固定孔２２内に随時係合される。こうして頭部８１はハンドル２頂点端面に接触し、中棒１とハンドル２は可動方式で連接される。押すことで係合固定片８３を収縮させ、同時に上方へと中棒１を抜き取る。こうして筒部８２は中心孔２１を離脱する。連接部品８は中棒１と共にハンドル２を離脱し、固定部品９を取り出すことで連接部品８と中棒１とは分離させられるため、中棒１或いはハンドル２が破損した際でも交換することができる。
【００１３】
上記したように本考案構造は従来の構造に比べて以下のような進歩性を備える。
１．中棒１とハンドル２との間は連接部品８により連接するため、傘を廃棄する時には連接部品８の少なくとも１個の係合固定片８３を押して収縮させれば、連接部品８は中棒１も一緒にハンドル２から離脱し、これにより中棒１とハンドル２を回収して再利用することができ、製造コストを低下させられ環境保護の要求を満たすことができる。
２．下骨嵌合リング３２は分解可能状に可動台３１の制御台３１１に嵌めて設置し、しかも中棒１とハンドル２とは取外し可能方式で可動状に接合するため中棒１、ハンドル２、複数の下骨２、下骨嵌合リング３２、可動台３１の内の任意の部品が破損しても単独で交換できるため、別に新しい傘を買う必要がなく金銭的に節約することができる。
３．複数の下骨５内側端は複数の底部凹槽３２４に直接挿入し、下骨嵌合リング３２と可動台３１はさらに２個の係合棒３２２を利用して２個の穿孔３１２に通して設置し、２個の係合フック３２３を制御台３１１に係合し、可動台３１と下骨嵌合リング３２は取外し可能方式で結合するため、傘全体の組立て/分解過程は簡単になり時間と労力を節約することができる。 
【００１４】
上記の本考案名称と内容は本考案技術内容の説明に用いたのみで本考案を限定するものではない。本考案の精神に基づく等価応用或いは部品（構造）の転換、置換、数量の増減はすべて、本考案の保護範囲に含むものとする。
【符号の説明】
【００１５】
１０    中棒
２０    ハンドル
３０    下骨連接機構
３０１  可動台
３０２  金属線
３０３  直行凹槽
３０４  環状凹槽
４０    上骨連接機構
５０    下骨
６０    上骨
７０    石突
１      中棒
２      ハンドル
２１    中心孔
２１１  レール
２２    係合固定孔
３      下骨連接機構
３１    可動台
３１１  制御台
３１２  穿孔
３２    下骨嵌合リング
３２１  凸ブロック
３２２  係合棒
３２３  係合フック
３２４  凹槽
４      上骨連接機構
５      下骨
６      上骨
７      石突
８      連接部品
８１    頭部
８２    筒部
８３    係合固定片
８４    ガイド線
９    固定部品
【図１】
0003181443.tif 000003
【図２】
0003181443.tif 000004
【図３】
0003181443.tif 000005
【図４】
0003181443.tif 000006
【図５】
0003181443.tif 000007
【図６】
0003181443.tif 000008
【図７】
0003181443.tif 000009
【図８】
0003181443.tif 000010